(57)【要約】  【課題】  テーブルの不使用時にテーブルの収納スペースが不要となる介護用ベッドを提供することである。  【手段】  ベッドレフームの長手方向に沿って設けたレール２に可動体２０をスライド自在に設け、この可動体に一端に板状のテーブル板Ａを有する回動アーム１を回動可能に軸着し、回動アーム１を垂直状に保持することによりテーブル板Ａをテーブルとし、回動アーム１を水平状に保持することにより、テーブル板Ａをフットボードとして使用することを特徴とする。【選択図】      図１
2010000213.tif 000002
【特許請求の範囲】
【請求項１】
ベッドフレームの長手方向にスライド可能なスライド機構と、このスライド機構のスライド体に連結、支持され、ベッドフレームに対する略水平位置と略垂直位置との間で回動可能な回動アームと、この回動アームの自由端間に架設、支持されたテーブル板と、ベッドフレームに対する略水平位置と略垂直位置とで回動アームをロックするロック機構とを有し、前記回動アームを水平状に保持することによりテーブル板をフットボードとしてなるベッドのフットボード兼用テーブル板取付構造。
【請求項２】
前記ロック機構は前記スライド体に設けて上部と側部にロック孔を有する円弧状のロック板と、前記回動アームに設けて前記ロックプレートのロック孔方向にバネで付勢されているロックピンと、このロックピンに連結材を介して連結する操作レバーとからなる前記請求項１記載のベッドのフットボード兼用テーブル板取付構造。
【請求項３】
前記スライド機構はベッドフレームの両側に設けると共に可動板の左右両側面に前記回動アームを設けてなる請求項１、２記載のベッドのフットボード兼用テーブル板取付構造。
【請求項４】
前記回動アームは長手方向に伸縮自在に設けてテーブル板をテーブルとしての使用時にその高さを調節可能とした前記請求項１−３記載のベッドのフットボード兼用テーブル板取付構造。
【発明の詳細な説明】
【技術分野】
【０００１】
本発明は介護用ベッド、詳しくはフットボードとテーブル板を備えたベッドに関する。
【背景技術】
【０００２】
介護用ベッドには必要に応じて食事等の際に利用するテーブル板をサイドガードに設置し、ベッドの後端にフットガードとして、フットボードを有するものがある。
【０００３】
そして、テーブル板を前後にスライドさせて使用者が使用し易い位置に保持できるもの（例えば特許第２９２３４３２号公報参照）が開示されている。
【０００４】
また、フットボードをベッドフレームより起立する支柱に回転板を垂直状に固定してフットガードとし、この回転板を支柱の上端に回転させて回転板を水平状に保持して寝具などの載置台としたもの（例えば特開平１０−２０１５７１号公報参照）も開示されている。
【０００５】
【特許文献１】特許第２９２３４３２号公報
【特許文献２】特開平１０−２０１５７１号公報
【発明の開示】
【発明が解決しようとする課題】
【０００６】
以上のテーブル板はテーブルとして使用しない場合にはその収納場所が必要になるし、テーブル板のベッドに対する取付け、取外しが面倒になる不具合があった。
【０００７】
一方、フットボードは食事などのためにテーブルを使用している際には、利用者は上半身を起し、仰臥状態でないため、フットボードとしての役目をなすことがない。
【０００８】
そこで、本発明は以上の点に着目し、フットボードをテーブルとして利用し、テーブルの不使用時にはフットボードとして利用できるようにすることを目的とする。
【課題を解決するための手段】
【０００９】
以上の目的を達成するための本請求項１記載の発明は、ベッドフレームの長手方向にスライド可能なスライド機構と、このスライド機構のスライド体に連結、支持され、ベッドフレームに対する略水平位置と略垂直位置との間で回動可能な回動アームと、この回動アームの自由端間に架設、支持されたテーブル板と、ベッドフレームに対する略水平位置と略垂直位置とで回動アームをロックするロック機構とを有し、前記回動アームを水平状に保持することによりテーブル板をフットボードとしてなる構成である。
【００１０】
本請求項２の発明は、前記ロック機構を前記スライド体に設けて上部と側部にロック孔を有する円弧状のロック板と、前記回動アームに設けてロック板のロック孔方向にバネで付勢されているロックピンと、このロックピンに連結材を介して連結する操作レバーとからなる構成である。
【００１１】
本請求項３の発明は、前記スライド機構をベッドフレームの両側に設けると共にテーブル板の左右両側面に前記回動アームを設けてなる構成である。
【００１２】
本請求項４の発明は、前記回動アームは長手方向に伸縮自在に設けてテーブル板をテーブルとしての使用時にその高さを調節可能とした構成である。
【発明の効果】
【００１３】
本請求項１の発明によれば、回動アームを水平状に保持することにより、テーブル板が垂直状になりフットボードとして利用でき、回動アームを垂直状に保持することによりテーブル板をテーブルとして利用できる。従って、テーブル板の不使用時にはフットボードになるため、テーブル板の収納場所が不要になるし、テーブル板をテーブルとしての利用前、後における取付、取外しの作業性も良好になる。
【００１４】
本請求項２の発明によれば、簡易な構造で、テーブル板をフットボード及びテーブルとしての使用時における固定が確実になる。
【００１５】
本請求項３の発明によれば、テーブル板が両持状に支持されているため、フットボード、テーブルとしての使用時にベッドフレームに対して確実に保持されるし、テーブル板の回動時の作業性も更に向上し得る。
【００１６】
本請求項４の発明によれば、利用者の所望の高さに、テーブルの高さを調節でき、テーブルの使用性が良好となる。
【発明を実施するための最良の形態】
【００１７】
以下、本発明の一実施例を説明する。
図1は板状のテーブル板Ａをテーブルとして使用する状態を示し、図中Ｂはヘッドボード、Ｃ、Ｃ…はレッグ、Ｄはベッドのマットレスを各々示し、少なくともヘッドボードＢ側のマットレスＤはモータの駆動力によって、起床できるように構成され、利用者がテーブルを使用して食事、読書など行い易いようになっている。
【００１８】
図示するテーブル板Ａはその左右両側面に回動アーム１、１の自由端間を架設・支持し、この回動アーム１、１はベッドフレームの長手方向に沿って固設したスライド機構のスライドレール２１、２２にスライド自在に設けたスライド体２０に回動可能に取付けている。
このスライド体２０はスライドレール２２に設けたストッパ２２Ｂによって、後方位置が規制され、後述するテーブル板Ａをフットボードにする際における回動アーム１、１の回動位置を位置決めしている。
【００１９】
従って、図１に示す状態のテーブル板Ａはスライド体２０によってベッドの前、後方向に移動可能で、後方に移動させた後、回動アーム１、１を矢印方向に回動することにより、テーブル板Ａは垂直状になり、フットボードとして使用できる。
【００２０】
そして、回動アーム１、１は後述するように、その全長を長短可能に調節でき、テーブル板Ａをテーブルとして使用する際にその高さを調節でき、また、回動アーム１、１はテーブル板Ａをテーブル、フットボードとして使用できるように、ベッドフレーム４に対する略水平位置と略垂直位置との間で回動可能に取り付けてあり、ロック機構により回動アーム１、１が略水平状態と略垂直状態に支持される構造である。
【００２１】
回動アーム１、１はその基端にブラケット１２を固着し、このブラケット１２はスライド体２０の起立片部２０Ａに支軸１８で回動自在に軸着され、ロック機構によってロックされるように構成されている。
【００２２】
図示するロック機構はスライド体２０の起立片部２０Ａに溶接するロックプレート３０と、このロックプレート３０に設けたロック孔３０Ａ、３０Ｂに挿入するロックピン３１と、ロックピン３１をロック孔３０Ａ方向に付勢するバネ３２とから構成されている。
【００２３】
前記ロックプレート３０は図５に示すように円弧状のプレートで、その側部には回動アーム１、１を略水平位置に保持する側部ロック孔３０Ｂ、上部には回動アーム１、１を略垂直位置に保持する上部ロック孔３０Ａが設けてある。
【００２４】
また、このロックプレート３０の両端には回動アーム１、１を略水平位置から略垂直位置に回動範囲を規制するストッパ３０Ｃ、３０Ｄが一体に設けてある。
【００２５】
前記ロックピン３１は回動アーム１、１の一端より出没自在に設けてあり、回動アーム１、１を回動する際に、ロックプレート３０の外周囲に沿って移動し、回動アーム１、１を略水平状に回動した際に回動アーム１、１のブラケット１２がストッパ３０Ｄに突き当たり、ロックピン３１が側部ロック孔３０Ｂに挿入して回動アーム１、１を水平位置に保持する。
【００２６】
また、回動アーム１、１を起立状に回動すると、回動アーム１、１のブラケット１２がストッパ３０Ｃに突き当たり、ロックピン３１が上部ロック孔３０Ａに挿入して回動アーム１、１を垂直位置に保持する。
【００２７】
回動アーム１、１はブラケット１２に溶接する固定外筒１０Ａと、この固定外筒１０Ａ内に固着する内筒１１と、この内筒１１を挿通する可動外筒１０Ｂから構成され、可動外筒１０Ｂは一端をテーブル板Ａ側に固着して、回動アーム１、１を長さ方向に伸縮自在に形成している。
【００２８】
そして、回動アーム１、１は可動外筒１０Ｂに設けて内筒１１に係止する高さ調節用操作ハンドル１７によってロックし、テーブル板Ａをテーブルとして使用する際にその高さを所望の高さに保持するように構成されている。
【００２９】
以上の内筒１１内にはワイヤ、ロッドなどの連結部材３３が挿通され、連結部材３３の一端は前記ロックピン３１に連結され、他端はテーブル板Ａのフレーム４０に設けた連動杆３５に連結され、連動杆３５の両端には操作レバー３４が取付けられている。
【００３０】
操作レバー３４は図３に示すように、テーブル板Ａのフレーム４０の左右に渉って架設した軸３６の両端に回動自在に軸着され、この軸３６を回転中心に上下方向に回動するように構成されているため、操作レバー３４の他端を上方に前記バネ３２の弾力に抗して持ち上げると、ロックピン３１が上部ロック孔３０Ａ又は側部ロック孔３０Ｂから脱出して回動アーム１、１のロック状態が解除される。
【００３１】
前記スライド機構の固定レールたるレール２１は図２に示すように、開口を下向きにベッドフレーム４の長手方向に沿って溶接し、ベットフレーム４に溶接した帯状の固定プレート２に一体に取り付けられ、先端には起立状のストッパ部２２Ａが設けてある。
【００３２】
前記レール２１にはローラ２０Ｂが転動自在に配設され、このローラ２０Ｂの回転軸に、可動レールたるＬ字状のスライド体２０の一端が取付けてあり、このスライド体２０は略Ｌ字状に折曲成形した板金で、その他端側には起立状の支持部２０Ａを有し、この支持部２０Ａに前記ロックプレート３０が溶接され、軸１８によって回動アーム１、１のブラケット１２を回動可能に軸着している。
【００３３】
そして、支持部２０Ａには固定プレート２２のストッパ部２２Ａに突き当たることにより、スライド体２０を固定プレート２２にロックするロック手段たるスライドロック用操作ハンドル２３の止軸が挿通され、その止軸の先端に設けた樹脂製ストッパ２３Ａが当接することにより、スライド体２０が固定プレート２２の前後方向の位置にロックされる。
【００３４】
次に動作を説明すると、図１はテーブル板Ａをテーブルとしての使用状態で、テーブルＡの前後位置を調節するにはスライドロック用操作ハンドル２３を操作してスライド板２０のスライドレール２１と一体に形成した固定プレート２２に対するロック状態を解除してスライド体２０を前後にスライドさせることにより、テーブルの前後位置を調節する。
【００３５】
そして、高さ調節用操作ハンドル１７の操作により、回動アーム１、１の全長を調節できるので、テーブルの高さを調節できる。
【００３６】
そして、スライド板２０を後方のストッパ２２Ｂまでスライドさせて、操作レバー３４を上方にバネ３２の弾力に抗して持ち上げると、ロックピン３１が上部ロック孔３０Ａは脱出するため、回動アーム１、１のロックは解除される。従って、回動アーム１、１は後方に回動可能の状態となる。
【００３７】
起立状態の回動アーム１、１を軸１８を回転中心に、水平位置に回動させると、回動アーム１、１のブラケット１２がストッパ３０Ｄに突き当たると共に、ロックピン３１が側部ロック孔３０Ｂに挿入して回動アーム１、１は水平位置でロックされる。
【００３８】
そのため、図５に示すように、回動アーム１、１に設けたテーブル板Ａは垂直状に保持され、フットボードとして使用できる。
【００３９】
なお、図示する回動アーム１、１、可動体２０、レール２１はベッドフレーム４の左右に設けているが、ベッドフレーム４の一方のみにレール２１などを設けてテーブルＡを片持状に回動アーム１、１で支持するようにしても良い。
【００４０】
従って、本発明によれば、テーブルが不使用時にフットボードとなり、テーブルの収納作業と収納場所が不要となる。
【００４１】
加えて、フットボードよりテーブル、テーブルからフットボードに移行動作が容易で、その作業性を向上し得る。
【図面の簡単な説明】
【００４２】
【図１】本発明に係る構造に係る可動板をテーブルとして使用する状態のベッドの斜視図である。
【図２】図１の状態の要部の断面図である。
【図３】アームのロック解除用操作レバーの平面図である。
【図４】図１の状態の要部の正面図である。
【図５】可動板をフットボードとして使用する状態の要部の断面図である。
【符号の説明】
【００４３】
Ａ…テーブル板、１…回動アーム、２…スライド機構、２０…スライド体、２１…レール、４…ベッドフレーム
【図１】
2010000213.tif 000003
【図２】
2010000213.tif 000004
【図３】
2010000213.tif 000005
【図４】
2010000213.tif 000006
【図５】
2010000213.tif 000007
【手続補正書】
【提出日】平成20年6月26日(2008.6.26)
【手続補正１】
【補正対象書類名】図面
【補正対象項目名】図１
【補正方法】変更
【補正の内容】
【図１】
2010000213.tif 000008
【手続補正２】
【補正対象書類名】図面
【補正対象項目名】図２
【補正方法】変更
【補正の内容】
【図２】
2010000213.tif 000009
【手続補正３】
【補正対象書類名】図面
【補正対象項目名】図３
【補正方法】変更
【補正の内容】
【図３】
2010000213.tif 000010
【手続補正４】
【補正対象書類名】図面
【補正対象項目名】図４
【補正方法】変更
【補正の内容】
【図４】
2010000213.tif 000011
【手続補正５】
【補正対象書類名】図面
【補正対象項目名】図５
【補正方法】変更
【補正の内容】
【図５】
2010000213.tif 000012